(57)【要約】  有機発光ダイオード表示パネル及びその製造方法、表示装置。該有機発光ダイオード表示パネルは、下地基板（１００）及び下地基板（１００）に位置する発光層（１１０）を含む。該発光層（１１０）の発光スペクトルの最大スペクトル強度の１０％〜１５％におけるスペクトル幅が２００ｎｍ以上であり、且つ前記発光スペクトルの黄光から緑光までの波長領域が５５０ｎｍ〜５６２ｎｍの間のピークを少なくとも１つ有する。該有機発光ダイオード表示パネルは、広い色域と低消費電力の性能を同時に有する。
2020524391.tif 000002
【特許請求の範囲】
【請求項１】
下地基板、及び前記下地基板上に位置する発光層を含み、
前記発光層の発光スペクトルの最大スペクトル強度の１０％〜１５％におけるスペクトル幅が２００ｎｍ以上であり、且つ前記発光スペクトルの黄光から緑光までの波長領域には５５０ｎｍ〜５６２ｎｍの間に位置するピークを少なくとも１つ有する、有機発光ダイオード表示パネル。
【請求項２】
前記発光層の前記下地基板と離れた側に位置し、且つ前記発光層の光射出側に位置するフィルター層をさらに備え、
前記フィルター層は少なくとも３色のフィルターユニットを含み、１色の前記フィルターユニットは波長５８０ｎｍ超えの光のみが透過し、且つ波長５９５ｎｍの光の透過率が５０％以上であるように配置される、請求項１に記載の有機発光ダイオード表示パネル。
【請求項３】
前記発光スペクトルは、少なくとも３つのピークを含む、請求項１または２に記載の有機発光ダイオード表示パネル。
【請求項４】
前記発光スペクトルの黄光から緑光までの波長領域が、５５０ｎｍ〜５６２ｎｍの間に位置するピークを一つのみ含み、前記５５０ｎｍ〜５６２ｎｍの間に位置するピークを第１のピークとする、請求項１〜３のいずれか一項に記載の有機発光ダイオード表示パネル。
【請求項５】
前記発光スペクトルの最大スペクトル強度におけるピークを第２のピークとして、前記第２のピークのピーク波長が４５６ｎｍ以下である、請求項４に記載の有機発光ダイオード表示パネル。
【請求項６】
前記第１のピークと前記第２のピークとの間のトラフのトラフ値は、前記第２のピークのピーク値の１５％〜３０％の間に位置する、請求項５に記載の有機発光ダイオード表示パネル。
【請求項７】
前記発光スペクトルの赤い光の波長領域は、第３のピークを含み、前記第３のピークのピーク波長は６１０ｎｍ〜６２４ｎｍの間に位置する、請求項５または６に記載の有機発光ダイオード表示パネル。
【請求項８】
前記第１のピークのピーク値と前記第３のピークのピーク値との比が１．５：１より大きく、且つ前記第３のピークのピーク波長と前記第１のピークのピーク波長との差が７０ｎｍ未満である、請求項７に記載の有機発光ダイオード表示パネル。
【請求項９】
前記発光層が３つの積層された層を含む、請求項１〜８のいずれか一項に記載の有機発光ダイオード表示パネル。
【請求項１０】
前記３つの積層された層は、第１の青色発光層、赤色及び緑色発光層、および第２の青色発光層を含む、請求項９に記載の有機発光ダイオード表示パネル。
【請求項１１】
前記第１の青色発光層の厚さは１５０〜３００ｎｍであり、前記赤色及び緑色発光層の厚さは６０〜１００ｎｍであり、前記第２の青色発光層の厚さは１００〜２００ｎｍである、請求項１０に記載の有機発光ダイオード表示パネル。
【請求項１２】
前記第１の青色発光層および前記第２の青色発光層は、いずれも蛍光発光材料を含み、前記赤色および緑色発光層は燐光発光材料を含む、請求項１０または１１に記載の有機発光ダイオード表示パネル。
【請求項１３】
前記有機発光ダイオード表示パネルは、赤色の画素、緑色の画素、青色の画素及び白色の画素を含み、前記少なくとも３色のフィルターユニットはレッドフィルターユニットと、グリーンフィルターユニットと、ブルーフィルターユニットを含み、且つそれぞれ前記赤色の画素、前記緑色の画素、前記青色の画素内に配置される、請求項２に記載の有機発光ダイオード表示パネル。
【請求項１４】
前記発光層は白光発光層である、請求項１〜１３のいずれか一項に記載の有機発光ダイオード表示パネル。
【請求項１５】
請求項１〜１４のいずれか一項に記載の有機発光ダイオード表示パネルを含む、表示装置。
【請求項１６】
下地基板に発光層を形成することを含み、
前記発光層の発光スペクトルの最大スペクトル強度の１０％〜１５％におけるスペクトル幅が２００ｎｍ以上であり、且つ前記発光スペクトルの黄光から緑光までの波長領域が５５０ｎｍ〜５６２ｎｍの間に位置するピークを少なくとも１つ有する、有機発光ダイオード表示パネルの製造方法。
【請求項１７】
前記発光層の前記下地基板と離れた側にフィルター層をさらに形成することを含み、
前記フィルター層が前記発光層の光射出側に位置し、且つ前記フィルター層は、少なくとも３色のフィルターユニットを含み、
１色の前記フィルターユニットは波長５８０ｎｍ超えの光のみが透過し、且つ前記波長５９５ｎｍの光の透過率は５０％以上であるように配置される、請求項１６に記載の有機発光ダイオード表示パネルの製造方法。
【請求項１８】
前記発光スペクトルの黄光から緑光までの波長領域は、５５０ｎｍ〜５６２ｎｍの間に位置するピークを一つのみ含む、請求項１６または１７に記載の有機発光ダイオード表示パネルの製造方法。
【発明の詳細な説明】
【技術分野】
【０００１】
本出願は、２０１７年６月２０日に中国で出願された特許出願第２０１７１０４６９６０４．４号に対して優先権を主張するものであり、上記の中国特許出願に開示された内容全体は引用によって本明細書に含まれている。
【０００２】
本発明の少なくとも一つの実施態様は、有機発光ダイオード表示パネル及びその製造方法、表示装置に関する。
【背景技術】
【０００３】
有機発光ダイオード（Ｏｒｇａｎｉｃ  Ｌｉｇｈｔ−Ｅｍｉｔｔｉｎｇ  Ｄｉｄｏｄｅ，ＯＬＥＤ）デバイスは、新型のフラットパネルディスプレイデバイスであり、全固体状態構造、高輝度、広視野角、高速応答、フレキシブルディスプレイなど利点を有する自発光型デバイスである。従って、有機発光ダイオードデバイスは、優れた競争力と発展の見通しを有する次世代のディスプレイ技術である。
【０００４】
白光有機発光ダイオード（Ｗｈｉｔｅ  Ｏｒｇａｎｉｃ  Ｌｉｇｈｔ  Ｅｍｉｔｔｉｎｇ  Ｄｉｏｄｅ、ＷＯＬＥＤ）は、面光源に属し、任意形状を有する大型な平面光源の製造に用いることができ、液晶ディスプレイのバックライト及びフルカラー有機発光ダイオード表示装置に適している。一般に、ＷＯＬＥＤをカラーフィルター（Ｃｏｌｏｒ  Ｆｉｌｔｅｒ、ＣＦ）と重ね合わせることにより、有機発光ダイオード表示装置のフルカラー化を実現する。
【発明の概要】
【課題を解決するための手段】
【０００５】
本願の少なくとも一実施様態が有機発光ダイオード表示パネル及びその製造方法、表示装置を提供する。該有機発光ダイオード表示パネルは、同時に広い色域と低消費電力の両方の性能を有する。
【０００６】
本願の少なくとも一つの実施様態が有機発光ダイオード表示パネルを提供している。該有機発光ダイオード表示パネルは、下地基板及び前記下地基板に配置されている発光層を備え、該発光層の発光スペクトルの最大スペクトル強度の１０％〜１５％におけるスペクトル幅が２００ｎｍ以上であり、且つ前記発光スペクトルの黄光から緑光までの波長領域が、５５０ｎｍ〜５６２ｎｍの間に位置するピークを少なくとも１つ有する。
【０００７】
本願に開示される一つの実施様態において、有機発光ダイオード表示パネルは発光層の下地基板と離れた側に位置するフィルター層を備え、且つ前記フィルター層が発光層の光射出側に位置し、前記フィルター層は少なくとも３色のフィルターユニットを含み、そのなかで１色のフィルターユニットは、波長５８０ｎｍ超えの光のみが透過、且つ波長５９５ｎｍの光の透過率は５０％以上であるように配置されている。
【０００８】
本願に開示される一つの実施様態において、前記発光スペクトルは、少なくとも３つのピークを含む。
【０００９】
本願に開示される一つの実施様態において、前記発光スペクトルの黄光から緑光までの波長領域が、５５０ｎｍ〜５６２ｎｍの間に位置するピークを一つのみ含み、５５０ｎｍ〜５６２ｎｍの間に位置するピークを第１のピークとする。
【００１０】
本願に開示される一つの実施様態において、前記発光スペクトルの最大スペクトル強度におけるピークを第２のピークとして、前記第２のピークのピーク波長が４５６ｎｍ以下である。
【００１１】
本願に開示される一つの実施様態において、第１のピークと第２のピークとの間のトラフ値は、前記第２のピークの１５％〜３０％の間に位置する。
【００１２】
本願に開示される一つの実施様態において、発光スペクトルの赤い光の波長領域は、第３のピークを含み、前記第３のピークのピーク波長は、６１０ｎｍ〜６２４ｎｍの間に位置する。
【００１３】
本願に開示される一つの実施様態において、前記第１のピークのピーク値と前記第３のピークのピーク値との比が１．５：１より大きく、且つ第３のピークのピーク波長と第１のピークのピーク波長との差が７０ｎｍ未満である。
【００１４】
本願に開示される一つの実施様態において、発光層が３つの積層された層を含む。
【００１５】
本願に開示される一つの実施様態において、３つの積層された層は、第１の青色発光層、赤色及び緑色発光層、および第２の青色発光層を含む。
【００１６】
本願に開示される一つの実施様態において、第１の青色発光層の厚さは１５０〜３００ｎｍであり、赤色及び緑色発光層の厚さは６０〜１００ｎｍであり、第２の青色発光層の厚さは１００〜２００ｎｍである。
【００１７】
本願に開示される一つの実施様態において、第１の青色発光層および第２の青色発光層は、いずれも蛍光発光材料を含み、赤色および緑色発光層は燐光発光材料を含む。
【００１８】
本願に開示される一つの実施様態において、有機発光ダイオード表示パネルは、赤色の画素、緑色の画素、青色の画素及び白色の画素を含み、前記少なくとも３色のフィルターユニットはレッドフィルターユニットとグリーンフィルターユニットとブルーフィルターユニットを含み、それぞれ前記赤色の画素、前記緑色の画素、前記青色の画素内に配置される。
【００１９】
本願に開示される一つの実施様態において、発光層は白光発光層である。
【００２０】
本願に開示される少なくとも一つの実施様態が有機発光ダイオード表示パネルの製造方法を提供している。前記方法が下地基板に発光層を形成することを含み、発光層の発光スペクトルの最大スペクトル強度の１０％〜１５％におけるスペクトル幅が２００ｎｍ以上であり、且つ前記発光スペクトルの黄光から緑光までの波長領域が５５０ｎｍ〜５６２ｎｍの間に位置するピークを少なくとも１つ有する。
【００２１】
本願に開示される一つの実施様態において、有機発光ダイオード表示パネルの製造方法は、発光層の前記下地基板と離れた側にフィルター層を形成することを含み、フィルター層が発光層の光射出側に位置し、且つフィルター層は、少なくとも３色のフィルターユニットを含み、そのなかで１色のフィルターユニットは、波長５８０ｎｍ超えの光のみが透過し、且つ波長５９５ｎｍの光の透過率は５０％以上であるように配置される。
【００２２】
本願に開示される一つの実施様態において、前記発光スペクトルの黄光から緑光までの波長領域は５５０ｎｍ〜５６２ｎｍの間に位置するピークを一つのみ有する。
【００２３】
本願の少なくとも一つの実施様態で提供される表示装置は、本願の実施様態で提供されるいずれかの有機発光ダイオード表示パネルを含む。
【００２４】
本発明の実施態様の技術構成をより明らかに説明するため、実施態様の図面について、下記のように簡単に説明する。明らかに、下記に説明する図面は、本発明の一部の実施態様にしか関わっておらず、本発明を制限するものではない。
【図面の簡単な説明】
【００２５】
【図１】本発明の一つの実施態様で提供される有機発光ダイオード表示パネルの概略図である。
【図２】図１に示される有機発光ダイオード表示パネルの発光スペクトルである。
【図３】本発明の一つの実施態様で提供されるフィルター層の１色のフィルターユニットのフィルター特性の概略図である。
【発明を実施するための形態】
【００２６】
本発明の実施態様の目的、技術構成、および技術効果をより明らかにするため、下記に本発明の実施態様の図面を組み合わせながら、本発明の実施態様の技術構成について明確かつ完全に説明する。明らかに、下記に説明する実施態様は、本発明の一部の実施態様に過ぎず、すべての実施態様ではない。下記に説明する本発明の実施態様に基づき、創造的な労力を要らない前提下で当業者が得たその他の実施態様は、本発明の保護範囲に属す。
【００２７】
別途に定義されない限り、本発明で使用される技術用語または科学用語は、当業者の通常の意味において理解されることである。本発明において使用される「第１」、「第２」および類似の用語は順序、数量または重要性を示すものではなく、異なる構成要素を区別するために使用される。「含む」または「備える」など類似の言葉は、この言葉の前の要素或は物はこの言葉の後ろで挙げられた要素或は物等を含むことを示すが、他の要素または物は除外されるわけではない。「上」、「下」、「左」、「右」等は、相対的な位置関係を示すためだけに用いられ、記載の対象の絶対位置が変更された場合には、該相対的な位置関係も対応的に変更されることがある。
【００２８】
この研究において、本発明者らは、有機発光ダイオード表示パネルの色域を増加すると、その消費電力に大きな影響を与え、即ち、有機発光ダイオード表示パネルの色域を増加することは、容易に消費電力を増加させる。従って、有機発光ダイオード表示パネルが広い色域と低消費電力を同時に実現することは困難である。
【００２９】
本発明の実施様態が有機発光ダイオード表示パネル及びその製造方法、表示装置を提供する。該有機発光ダイオード表示パネルは下地基板及び下地基板上に位置する発光層を含み、前記発光層の発光スペクトルの最大スペクトル強度の１０％〜１５％におけるスペクトル幅が２００ｎｍ以上であり、且つ前記発光スペクトルの黄光から緑光までの波長領域が５５０ｎｍ〜５６２ｎｍの間に位置するピークを少なくとも１つ有する。該有機発光ダイオード表示パネルは同時に広い色域と低消費電力の両方の性能を有する。
【００３０】
以下、添付図面を参照しながら、本願の実施形態で提供される有機発光ダイオード表示パネル及びその製造方法、表示装置について説明する。
【００３１】
本発明の一つの実施様態が有機発光ダイオード表示パネルを提供する。図１は本発明の一つの実施態様で提供される有機発光ダイオード表示パネルの概略図である；図２は図１に示される有機発光ダイオード表示パネルの発光スペクトル図である；図１に示されるように、本願の実施様態で提供される有機発光ダイオード表示パネルは、下地基板１００及び下地基板１００に位置する発光層１１０を含む。図２に示されるように、該発光層１１０の発光スペクトルの最大スペクトル強度におけるピーク１１１のピーク値１０％〜１５％におけるスペクトル幅が２００ｎｍ以上である。図２から、最大スペクトル強度におけるピーク１１１のピーク値１０％におけるスペクトル幅が、最大スペクトル強度におけるピーク１１１のピーク値１５％におけるスペクトル幅より大きいであることが分かる。よって、本願の実施様態において、スペクトル線の中で最大スペクトル強度の１５％に対応するスペクトル線の二つの点ＡとＢの間の波長間隔はλ１＞２００ｎｍである。本実施形態で提供される発光層１１０が発するスペクトルは、広いスペクトルという特性を有するため、該発光層を含む有機発光ダイオード表示パネルが広い色域を有する。
【００３２】
図２に示されるように、発光スペクトルの黄光から緑光までの波長領域は５５０ｎｍ〜５６２ｎｍの間に位置するピークを少なくとも一つ有する。ここで、黄光から緑光までの波長領域が５００ｎｍ〜６００ｎｍ程度である。本願の実施様態で提供される発光スペクトルの黄光から緑光までの波長領域は５５０ｎｍ〜５６２ｎｍの間に位置するピークを少なくとも一つ有する。本実施形態では、該発光スペクトルの黄光から緑光までの波長領域が５００ｎｍ〜５６２ｎｍの間に位置するピークを一つのみ有することを例として説明する。しかし、それのみに限定されていない。該ピークの位置に対応する波長は、人間の視覚曲線のピークに対応する波長に近いため、有機発光ダイオード表示パネルが発する緑光により高い発光効率を付与する。ここで、「発光効率」とは、主に電流効率、即ち、単位電流における輝度を指す。
【００３３】
例えば、該ピークのピーク波長が左にシフトする（即ち、波長値が低減する）場合、本実施形態で提供される有機発光ダイオード表示パネルの電流効率が低下し、消費電力が増加する。ここでの「消費電力」とは、表示パネルのホワイトパワー（Ｗｈｉｔｅ  Ｐｏｗｅｒ）及び最大消費電力（Ｗｏｒｓｔ  Ｐｏｗｅｒ）を含む。例えば、該ピークのピーク波長が右にシフトする（即ち、波長値が増大する）場合、本実施形態で提供される有機発光ダイオード表示パネルの色域が縮小する。
【００３４】
例えば、図２に示されるように、最大スペクトル強度におけるピーク１１１のピーク波長が４５６ｎｍ以下であり、即ち、発光スペクトルの最大スペクトル強度のピーク１１１が深青い光領域に位置することにより、有機発光ダイオード表示パネルはより広い色域を有する。
【００３５】
例えば、図１に示されるように、本願の実施様態で提供される有機発光ダイオード表示パネルはさらにフィルター層１２０を含み、フィルター層１２０は発光層１１０の下地基板１００と離れた側に位置し、且つフィルター層１２０は有機発光ダイオード表示パネルの光射出側に位置する。本実施様態における有機発光ダイオード表示パネルの構造は白光有機発光ダイオード（ＷＯＬＥＤ、Ｗｈｉｔｅ  Ｏｒｇａｎｉｃ  Ｌｉｇｈｔ  Ｅｍｉｔｔｉｎｇ  Ｄｉｏｄｅ）とカラーフィルター層（ＣＦ、Ｃｏｌｏｒ  Ｆｉｌｔｅｒ）を重ね合わせた構造である；即ち、本実施様態における発光層は白光を発するための白光発光層である。該フィルター層１２０は少なくとも３色のフィルターユニットを含み、本実施様態ではフィルター層１２０が３色のフィルターユニットを含むことを例として説明するが、それのみに限定されていない。
【００３６】
例えば、図１に示されるように、フィルター層１２０は第１のフィルターユニット１２１、第２のフィルターユニット１２２及び第３のフィルターユニット１２３を含み、本実施様態は前記内容を含むが、それのみに限定されていない。
【００３７】
例えば、図１に示されるように、本実施様態では有機発光ダイオード表示パネルが赤色の画素２０１、緑色の画素２０２、青色の画素２０３及び白色の画素２０４（図において点線で囲まれる各画素）を含むことを例として説明するが、前記内容に限定されなく、他の色の画素を含むこともできる。
【００３８】
例えば、本実施様態におけるフィルター層１２０に含まれる第１のフィルターユニット１２１はレッドフィルターユニットであってもいい；第２のフィルターユニット１２２はグリーンフィルターユニットであってもいい；第３のフィルターユニット１２３はブルーフィルターユニットであってもいい；この３色のフィルターユニットはそれぞれ赤色の画素２０１、緑色の画素２０２、青色の画素２０３内に配置されるが、本実施様態が前記内容を含むが、それのみに限定されていない。
【００３９】
例えば、図３は本実施態様で提供されるフィルター層における１色のフィルターユニットのフィルター特性の概略図である。図３に示されるように、１色のフィルターユニットは波長５８０ｎｍ超えの光のみが透過するように配置される、即ち、波長５８０ｎｍは異なる波長の光のフィルターユニットに対する透過率がゼロから増加する開始点（ｏｎｓｅｔ）である。発光層が発する異なる波長の白光は該フィルターユニットを透過する場合、波長５８０ｎｍ以下の光は基本的に該フィルターユニットを透過することができなく、波長５８０ｎｍ超えの光は該フィルターユニットを透過することができる。該フィルターユニットを透過できる光の波長範囲から、該フィルターユニットは最大波長を有する光（即ち、赤い光）が透過できるフィルターユニット（即ち、レッドフィルターユニット）である。また、図３に示されるように、該フィルターユニットは、波長５９５ｎｍの光の透過率が５０％以上であることを満たす必要がある。よって、該フィルターユニットを有する有機発光ダイオード表示パネルが発する赤い光はより高い発光効率（電流効率）を有する。同時に、本実施様態で提供される有機発光ダイオード表示パネルがより広い色域を有する。
【００４０】
本実施態様で提供される有機発光ダイオード表示パネルでは、図１に示される発光スペクトルを有する発光層と図３に示される特別なスペクトル設定を有するフィルターユニットを重ね合わせた構造を用いて、青い光および赤い光を調節することにより、有機発光ダイオード表示パネルの広い色域特性を達成することができる。また、緑光および赤い光を調節することにより、有機発光ダイオード表示パネル（ＷＯＬＥＤ）における白色の画素の発光効率を向上し、表示パネルの消費電力を低減することができる。
【００４１】
例えば、図２に示されるように、該発光スペクトルは少なくとも３つのピークを含み、本実施形態では、該発光スペクトルが３つのピークを含むことを例として説明するが、それのみに限定されていない。
【００４２】
例えば、図２に示されるように、該発光スペクトルの黄光から緑光までの波長領域が５５０ｎｍ〜５６２ｎｍの間に位置するピークを１つのみ有し、５５０ｎｍ〜５６２ｎｍの間に位置するピークを第１のピーク１１２とする。
【００４３】
例えば、図２に示されるように、該発光スペクトルの最大スペクトル強度におけるピーク１１１を第２のピーク１１１とする。例えば、第１のピーク１１２と第２のピーク１１１との間のトラフ１１４のトラフ値が第２のピーク１１１のピーク値の１５％〜３０％の間に位置する。即ち、トラフ１１４のスペクトル強度値が第２のピーク１１１のスペクトル強度（即ち、最大スペクトル強度値）の１５％〜３０％の間に位置する。本実施様態で提供されるトラフ１１４のトラフ値が第２のピーク１１１のピーク値の１５％より大きいので、最大スペクトル強度の１０％〜１５％におけるスペクトルは連続的なスペクトルになる。本実施様態は前記内容を含むが、それのみに限定されていない。
【００４４】
例えば、図２に示されるように、発光スペクトルの赤い光の波長帯は第３のピーク１１３を含み、第３のピーク１１３のピーク波長が６１０〜６２４ｎｍの間に位置する。
【００４５】
例えば、第１のピーク１１２のピーク値は第３のピーク１１３のピーク値より大きく、且つ第１のピークのピーク値と第３のピークのピーク値との比が１．５：１より大きく、即ち、第１のピーク１１２のピーク値が第３のピーク１１３のピーク値の５０％以上である。本実施様態において、第３のピークのピーク波長と第１のピーク１１２のピーク波長との差が７０ｎｍ未満であり、即ち、図２におけるλ２＜７０ｎｍである。よって、図２における第３のピーク１１３が明らかではない。
【００４６】
特定の量子効率を前提として、有機発光ダイオード表示パネルが発する青い光、緑光および赤い光のスペクトル強度値の比を調整することにより、表示パネルの電流効率を変更することができる。
【００４７】
例えば、特定の量子効率を前提として、図２に示されるスペクトル特性を有する有機発光ダイオード表示パネルは、高い電流効率及び高い色温度の特性の両方を有する。ここでの色温度は、光源のスペクトル品質を示す最も一般的な指標であり、即ち、黒体をある温度に加熱し、それに発される光の色がある光源に発される光の色と同じである場合、該黒体の加熱温度を該光源の色温度と呼び、色温度と略称する。
【００４８】
例えば、図２に示されるようなスペクトル特性を有する有機発光ダイオード表示パネルの量子効率が１００％であり、電流効率が１００％であり、色温度が９２００Ｋである。本実施様態は前記内容を含むが、それのみに限定されていない。
【００４９】
よって、本実施様態で提供される有機発光ダイオード表示パネルは、特別なスペクトル設定を有する発光層と特別なスペクトル設定を有するフィルター層を重ね合わせることにより、有機発光ダイオード表示パネル（ＷＯＬＥＤ）における白色の画素の発光効率を向上する（パネル全体の消費電力を低減する）だけではなく、同時に、表示パネルは適切な白い光の色温度を有することで、フィルター層に透過した光が広い色域を有することを保証できる。よって、本実施様態で提供される有機発光ダイオード表示パネルが同時に広い色域と低消費電力の性能を実現できる。
【００５０】
例えば、図１に示されるように、本実施様態で提供される発光層１１０は下地基板１００と直交する方向に三つの積層を含み、且つ三つの積層構造を有する発光層１１０の下地基板１００と離れた側に第１の電極１３０が配置され、発光層１１０の下地基板１００と隣接する側に第２の電極１４０が配置されている。本実施様態で、三つの積層がタンデム積層構造であるため、本実施様態で提供される有機発光ダイオードはタンデム有機発光ダイオードであり、且つ該タンデムの三つの積層が第１の電極１３０と第２の電極１４０とを共用する。
【００５１】
例えば、第１の電極１３０はカソード層であり、カソード層は有機発光ダイオード表示パネルの負電圧の接続層として、比較的に良い導電性及び低い仕事関数値を有する。
【００５２】
例えば、第２の電極１４０はアノード層であり、アノード層は有機発光ダイオード表示パネルの正電圧の接続層として、比較的に良い導電性及び高い仕事関数値を有する。
【００５３】
例えば、図１に示されるように、有機発光ダイオード表示パネルにおける赤色の画素２０１、緑色の画素２０２、青色の画素２０３及び白色の画素２０４がそれぞれ第２の電極１４０における第１のサブ電極１４１、第２のサブ電極１４２、第３のサブ電極１４３及び第４のサブ電極１４４に対応する。
【００５４】
例えば、図１に示されるように、発光層１１０における三つの積層は第１の青色発光層１１５、赤色及び緑色発光層１１６及び第２青色発光層１１７を含んでもよく、本実施様態は前記内容を含むが、それのみに限定されていない。
【００５５】
例えば、第１の青色発光層１１５の厚さは１５０〜３００ｎｍであり、赤色及び緑色発光層１１６の厚さは６０〜１００ｎｍであり、第２の青色発光層１１７の厚さは１００〜２００ｎｍである。
【００５６】
例えば、第１の青色発光層１１５の厚さは１５０〜１８０ｎｍであってもよく、或は２１０〜２３０ｎｍ等であってもよく、本実施様態では限定されていない。
【００５７】
例えば、赤色及び緑色発光層１１６の厚さは６０〜７０ｎｍであってもよく、或は８０〜９０ｎｍ等であってもよく、本実施様態では限定されていない。
【００５８】
例えば、第２の青色発光層１１７の厚さは１２０〜１５０ｎｍであってもよく、或は１７０〜１９０ｎｍ等であってもよく、本実施様態では限定されていない。
【００５９】
例えば、本実施様態における第１の青色発光層１１５と第２の青色発光層１１７の有機発光材料は蛍光発光材料を含み、赤色および緑色発光層１１６の有機発光材料は燐光発光材料を含み、本実施様態は前記内容を含むが、それのみに限定されていない。ここでの赤色および緑色発光層１１６とは、該発光層が赤い光および緑光を発する発光材料を含むことを指す。また、緑光を発する発光材料に発される光が黄緑光と呼ばれる（黄光とも呼ばれる）ことがあり、本実施様態は前記内容を含むが、それのみに限定されていない。
【００６０】
例えば、上記蛍光発光材料或は燐光発光材料はドーピングシステムを使用することができ、すなわち、ドーパント材料を本体発光材料に混合し、利用可能な発光材料を得られる。
【００６１】
例えば、本体発光材料には、金属錯体材料、ルテニウム誘導体、芳香族ジアミン化合物、トリフェニルアミン化合物、芳香族トリアミン化合物、ビフェニルジアミン誘導体またはトリアリールアミンポリマー等を使用することができる。本実施様態は前記内容を含むが、それのみに限定されていない。
【００６２】
例えば、蛍光発光材料またはドーパント材料には、クマリン色素（クマリン６、Ｃ−５４５Ｔ）、ペリレン（ｐｅｒｙｌｅｎｅ）およびその誘導体テトラ（ｔ−ブチル）−ペリレン（ＴＢＰ）、キナクリドン（ＤＭＱＡ）または４−（ジニトリルメチレン）−２−メチル−６−（４−ジメチルアミノ−スチレン）−４Ｈ−ピラン（ＤＣＭ）シリーズ等が挙げられる。本実施様態は前記内容を含むが、それのみに限定されていない。燐光発光材料またはドーパント材料には、Ｉｒ、Ｐｔ、Ｒｕ、Ｃｕなどに基づく金属錯体発光材料を含むことができ、例えば、ＦＩｒｐｉｃ、Ｆｉｒ６、ＦｉｒＮ４、ＦＩｒｔａｚ、Ｉｒ（ｐｐｙ）３、Ｉｒ（ｐｐｙ）２（ａｃａｃ）、ＰｔＯＥＰ、（ｂｔｐ）２Ｉｒａｃａｃ、Ｉｒ（ｐｉｑ）２（ａｃａｃ）或（ＭＤＱ）２Ｉｒａｃａｃ等が挙げられる。本実施様態は前記内容を含むが、それのみに限定されていない。また、発光材料には、二つの本体が含まれ且つドーピングされることもある。
【００６３】
なお、図１は、有機発光ダイオード表示パネルが三つの積層タンデムの有機発光ダイオード表示パネルであることを模式的に示す図であり、三つの積層に発光層のみが模式的に示めされているが、実際にタンデムな積層には他の機能層をさらに含む。
【００６４】
例えば、第１の青色発光層１１５の下地基板１００と離れた側に第１の電子輸送層等が配置され、該第１の電子輸送層等が第１の青色発光層１１５に電子を輸送し、注入するための機能層である；第１の青色発光層１１５の下地基板１００と隣接する側に第１の正孔輸送層等が配置され、該第１の正孔輸送層等が第１の青色発光層１１５に正孔を輸送し、注入するための機能層である；これにより、第１の青色発光層１１５において、注入される電子と正孔が組み合わせて励起子を形成し、励起子がエネルギーを第１の青色発光層１１５の有機発光分子に渡し、有機発光分子の電子を基底状態から励起状態に遷移させる。励起状態の電子が放射し失活して、光子を発生し且つ青い光を発する。本実施様態は前記内容を含むが、それのみに限定されていない。該第１の青色発光層１１５が、それに対応する少なくとも一つの機能層と第１の発光ユニットを構成する。
【００６５】
同様に、例えば、赤色及び緑色発光層１１６及び第２の青色発光層１１７は、下地基板１００に向かう側及び下地基板１００から離れた側に、それぞれ対応する機能層を有してもよい。本実施様態は前記内容を含むが、それのみに限定されていない。
【００６６】
例えば、赤色及び緑色発光層１１６及び第２の青色発光層１１７が、それに対応する少なくとも一つの機能層とそれぞれ第２の発光ユニット及び第３の発光ユニットを構成する。三つの発光ユニットの間には、二つの中間連続層により接続され、該中間連続層は各発光ユニットを接続する役割を有するだけではなく、さらに電荷の発生と輸送、およびキャリアを各機能層に注入する役割を担う。
【００６７】
本実施様態では、各機能層の膜の厚さを調整することにより、例えば、発光層と第２の電極との距離或は、第１の電極と第２の電極との距離を調整すること、及び発光材料における本体発光材料の特性、ドーパント材料を混入する割合、濃度などを制御することにより、有機発光ダイオード表示パネルの発光スペクトルにおけるスペクトルの幅、各ピークのピーク値、各ピークのピーク波長などのパラメータを制御することができる。
【００６８】
例えば、各機能層には、正孔輸送層、正孔注入層、正孔阻止層、電子輸送層、電子注入層、電子阻止層の少なくとも１つを含むことができ、本実施様態では限定されていない。
【００６９】
例えば、正孔注入層は、トリフェニルアミン化合物、Ｐ型ドープ有機層またはポリマー等から構成されてもよく、本実施様態では限定されていない。
【００７０】
例えば、正孔輸送層は、芳香族ジアミン化合物、芳香族トリアミン化合物、ビフェニルジアミン誘導体、及びカルバゾール系重合体等から構成されてもよく、本実施様態では限定されていない。
【００７１】
例えば、電子輸送層は、フェナントロリン誘導体、イミダゾール誘導体、金属錯体、ルテニウム誘導体等を使用してもよく、本実施様態では限定されていない。
【００７２】
例えば、電子注入層は、アルカリ金属酸化物、アルカリ金属フッ化物等を使用してもよく、本実施様態では限定されていない。
【００７３】
例えば、本発明の実施形態で提供される方法を用いた有機発光表示パネルの特性と、従来の方法を用いた有機発光表示パネルの特性との比較が下記表に示されている。
【００７４】
【表１】
2020524391.tif 000003
【００７５】
例えば、上記表の比較から、従来の方法と比べて、本願の実施様態で赤い光（Ｒ）、緑光（Ｇ）、青い光（Ｂ）の色度座標が変化したので、本願の実施様態でＲＧＢ原色の色域とＣＩＥ  １９３１ｘｙ色度図との相対位置は、従来の方法における両者の相対位置と比べて変化することが分かる。上記表から、従来の方法におけるＲＧＢ原色の色域はＤＣＩ−Ｐ３色域標準のカバー率が８４％であるが、本願の実施様態におけるＲＧＢ原色の色域はＤＣＩ−Ｐ３色域標準のカバー率が９２％である。よって、上記実験結果から、本願の実施様態で提供される有機発光ダイオード表示パネルは、従来の方法と比べてより広い色域を有する。一方、表示パネルの画面が白画面である場合、従来の方法におけるホワイト・パワー（ｗｈｉｔｅ  ｐｏｗｅｒ）は２１０ワット（ｗａｔｔ）であるが、本願の実施様態におけるホワイト・パワーは１６０ワットである。両者を比べ、本願の実施様態で提供される表示パネルがより低いホワイト・パワーを有する。表示パネルの画面が最大消費電力の画面と表示される（例えば、紫色の画面に調整される）場合、従来の方法における最大消費電力（Ｗｏｒｓｔ  ｐｏｗｅｒ）は４２７ワットであるが、本願の実施様態における最大消費電力（Ｗｏｒｓｔ  Ｐｏｗｅｒ）は４０３ワットである。両者を比べ、本願の実施様態で提供される表示パネルがより低い最大消費電力を有する。よって、本願の実施様態で提供される有機発光ダイオード表示パネルは広い色域と低消費電力の性能を同時に実現できる。
【００７６】
本願のもう一つの実施様態が有機発光ダイオード表示パネルの製造方法を提供している。該有機発光ダイオード表示パネルの製造方法は、主に下地基板に発光層を形成することを含む。該発光層の発光スペクトルの最大スペクトル強度の１０％〜１５％におけるスペクトル幅が２００ｎｍ以上であり、即ち、スペクトル線の最大スペクトル強度の１０％〜１５％の範囲に対応するスペクトル線の二つの点の間の波長間隔は２００ｎｍ以上である。本願の実施様態で提供される発光層が発するスペクトルは、広いスペクトルの特性を有する。よって、該発光層を有する表示パネルが広い色域の特性を有する。
【００７７】
本願の実施様態で提供される発光層の発光スペクトルにおける黄光から緑光までの波長領域には、５５０ｎｍ〜５６２ｎｍの間に位置するピークを少なくとも１つ有する。
【００７８】
例えば、本願の実施様態では、発光スペクトルの黄光から緑光までの波長領域に５５０ｎｍ〜５６２ｎｍの間に位置するピークを１つのみ有することを例として説明する。該ピークの位置に対応する波長は、人間の視覚曲線のピークに対応する波長に近いので、該有機発光ダイオード表示パネルが発する緑光により高い発光効率を付与する。
【００７９】
例えば、本願の実施様態で提供される発光層の発光スペクトルの最大スペクトル強度のピークにおけるピーク波長は４５６ｎｍ以下である。即ち、発光スペクトルの最大スペクトル強度におけるピークは深青い光領域に位置する。
【００８０】
例えば、本願の実施様態で提供される発光層の発光スペクトルが少なくとも三つのピークを含み、本願の実施様態では該発光スペクトルが三つのピークを含むことを例として説明する。本願の実施様態ではこれのみに限定されていない。
【００８１】
例えば、本願の実施様態で提供される発光層は下地基板と直交する方向に三つの積層を含み、三つの積層が第１の青色発光層、赤色及び緑色発光層及び第２の青色発光層を含んでもよい。本願の実施様態は前記内容を含むが、それのみに限定されていない。
【００８２】
例えば、有機発光ダイオード表示パネルの製造方法は、さらに次の内容を含む。発光層の下地基板と離れた側にフィルター層を形成し、且つ前記フィルター層が前記有機発光ダイオード表示パネルの光射出側に位置する。本実施様態における有機発光ダイオード表示パネルの構造は、白光有機発光ダイオード（ＷＯＬＥＤ、Ｗｈｉｔｅ  Ｏｒｇａｎｉｃ  Ｌｉｇｈｔ  Ｅｍｉｔｔｉｎｇ  Ｄｉｏｄｅ）とカラーフィルター層（ＣＦ、Ｃｏｌｏｒ  Ｆｉｌｔｅｒ）を重ね合わせた構造である。前記カラーフィルター層は、少なくとも３色のフィルターユニットを含む。本願の実施様態では、フィルター層が３色のフィルターユニットを含むことを例に説明するが、本願の実施様態はこれのみに限定されていない。
【００８３】
例えば、本実施様態では、有機発光ダイオード表示パネルが赤色の画素、緑色の画素、青色の画素及び白色の画素を含むことを例として説明するが、本願の実施様態はこれのみに限定されていない。他の色の画素を含んでもよい。
【００８４】
例えば、本実施様態のフィルター層がレッドフィルターユニット、グリーンフィルターユニットとブルーフィルターユニットを含み、この３色のフィルターユニットがそれぞれ赤色の画素、緑色の画素、及び青色の画素内に配置される。本実施様態は前記内容を含むが、それのみに限定されていない。
【００８５】
例えば、レッドフィルターユニットには波長５８０ｎｍ超えの光のみが透過し、且つ波長５９５ｎｍの光の透過率は５０％以上であるように配置する。
【００８６】
本実施様態で提供される有機発光ダイオード表示パネルの製造方法で製造される有機発光ダイオード表示パネルは、従来な方法で製造される有機発光ダイオード表示パネルと比べて、より広い色域および低い消費電力を有する。よって、本実施様態で提供される有機発光ダイオード表示パネルの製造方法で製造される有機発光ダイオード表示パネルは、広い色域と低消費電力の性能を同時に実現できる。
【００８７】
本発明のもう一つの実施様態で提供される表示装置は、本発明の実施様態で提供されるいずれかの有機発光ダイオード表示パネルを含む。よって、上記有機発光ダイオード表示パネルを含む表示装置が広い色域と低消費電力の性能を同時に実現できる。
【００８８】
例えば、該表示装置は有機発光ダイオード（Ｏｒｇａｎｉｃ  Ｌｉｇｈｔ−Ｅｍｉｔｔｉｎｇ  Ｄｉｄｏｄｅ，ＯＬＥＤ）の表示装置等の表示デバイス、及び該表示装置を含むテレビ、デジタルカメラ、携帯電話、時計、タブレット、ラップトップ、ナビゲータなどの表示機能を有する製品或は部件であってもよいが、本願の実施様態はこれのみに限定されていない。
【００８９】
注意すべき点がいくつかある：
（１）別途に定義されない限り、本実施例および図面において、同じ表記が同じ意味を示す
（２）本発明の実施形態の図面では、本実施形態に関連する構造のみに関わり、他の構造は一般的な設計を参照することができる。
（３）明らかにするために、本実施形態を説明するための図面では、層または領域の厚さが拡大または縮小されることがある。さらに、層、膜、領域または基板のような要素が別の要素の「上にある」または「下にある」と述べられた場合、該要素は「直接的に」他の要素の「上に」または「下に」位置してもよく、または中間要素が存在してもよい。
【００９０】
上記内容は、本開示の具体的な実施形態のみであるが、本開示の保護範囲はそれのみに限定されていない。本分野の技術に詳しい当業者は本開示に記載された技術範囲内で、簡単に思いつける変化或は交替のいずれも本開示の保護範囲内に含まれる。よって、本開示の保護範囲は特許請求の範囲に準じるべきである。
【符号の説明】
【００９１】
１００  下地基板
１１０  発光層
１１１  最大スペクトル強度におけるピーク（第２のピーク）
１１２  第１のピーク
１１３  第３のピーク
１１４  トラフ
１１５  第１の青色発光層  
１１６  赤色及び緑色発光層
１１７  第２の青色発光層
１２０  フィルター層
１２１  第１のフィルターユニット
１２２  第２のフィルターユニット
１２３  第３のフィルターユニット
１３０  第１の電極
１４０  第２の電極
１４１  第１のサブ電極
１４２  第２のサブ電極
１４３  第３のサブ電極
１４４  第４のサブ電極
２０１  赤色の画素
２０２  緑色の画素
２０３  青色の画素
２０４  白色の画素
【図１】
2020524391.tif 000004
【図２】
2020524391.tif 000005
【図３】
2020524391.tif 000006
【国際調査報告】
2020524391.tif 000007
2020524391.tif 000008
2020524391.tif 000009
2020524391.tif 000010
2020524391.tif 000011
2020524391.tif 000012